(57)【要約】【課題】本発明は、冷却ユニットを、断熱箱体の天井部に形成された開口を塞ぐかたちで設置してなる冷蔵庫に関するもので、冷却器により冷やされたユニットベース下面からの熱伝導を少なくし、結露を防ぐと共にユニットベースのコストを抑える。【解決手段】鋼板を曲げて形成した第一基板1と、スチロールで形成したキャップ２と、鋼板で形成した第二基板３で箱状に構成し、内部にウレタン４を注入することで部品構成を簡素化し、コストを抑えると同時に熱伝導しにくいスチロールに、冷却器により冷やされた第二基板３を固定することで、結露を防ぐ。【選択図】図１
2005201522.tif 000002
【特許請求の範囲】
【請求項１】
断熱性のユニットベース上面に圧縮機、凝縮器及びファンモータなどを配置し、ユニットベース下面に冷却器及びファンモータなどを配置した冷却ユニットを、断熱箱体の天井部に形成された開口を塞ぐかたちで設置してなる冷蔵庫において、前記断熱性のユニットベースは対向する２辺をコの字状に曲げた第一基板と、前記第一基板の他の２辺を塞ぐキャップ部材を設け、さらに第二基板にて箱状に構成し、内部に断熱材としてウレタンを注入していることを特徴とする冷蔵庫。
【請求項２】
前記キャップ部材に、ユニットベース下面を形成するための第二基板をビス固定するため、前記キャップ部材にコの字状に形成したナット部材を埋め込んでいることを特徴とする請求項１に記載の冷蔵庫。
【請求項３】
前記ユニットベース内部の断熱材をキャップ部材を含めスチロール材で構成したことを特徴とする請求項１の冷蔵庫。
【請求項４】
前記キャップ部材において、前記第一基板、第二基板と接する面に段差を付けることにより、第一基板、第二基板を取り付けた時にできるスチロール表面と第一基板、第二基板との板厚分の段差を無くすことを特徴とする請求項１の冷蔵庫。
【発明の詳細な説明】
【技術分野】
【０００１】
本発明は、断熱性のユニットベース上面に圧縮機、凝縮器及びファンモータなどを配置し、ユニットベース下面に冷却器及びファンモータなどを配置した冷却ユニットを、断熱箱体の天井部に形成された開口を塞ぐかたちで設置してなる冷蔵庫に関するものである。
【背景技術】
【０００２】
従来よりこの種の冷蔵庫は、プレハブ冷蔵庫や業務用冷蔵庫であり、断熱性のユニットベース上面に圧縮機、凝縮器及びファンモータなどを配置し、ユニットベース下面に冷却器及びファンモータなどを配置した冷却ユニットを、断熱箱体の天井部に形成された開口を塞ぐかたちで設置したもの（例えば、特許文献１参照）がある。
【０００３】
以下、図面を参照しながら上記従来のユニットベースを説明する。
【０００４】
図５は従来のユニットベースの断面図である。
【０００５】
まず、ユニットベースの外面になる外部鋼板９に押し出し成型されたプラスチック製の取付け部材１０を外部鋼板９の4辺に取付け、ユニットベース内面になる内部鋼板１１を取付け部材１０に固定し、ウレタンを注入して一体化している。
【特許文献１】特開平１１−６３７９０号公報
【発明の開示】
【発明が解決しようとする課題】
【０００６】
しかしながら、上記従来のユニットベースは構成部品点数が多くコスト面で割高になるという欠点があった。
【０００７】
本発明は従来の課題を解決するもので、部品点数を減らし、コストを抑えることができる冷蔵庫を提供することを目的とする。
【課題を解決するための手段】
【０００８】
上記課題を解決するため、本発明の冷蔵庫は、断熱性のユニットベース上面に圧縮機、凝縮器及びファンモータなどを配置し、ユニットベース下面に冷却器及びファンモータなどを配置した冷却ユニットを、断熱箱体の天井部に形成された開口を塞ぐかたちで設置してなる冷蔵庫において、前記断熱性のユニットベースは対向する２辺をコの字状に曲げた第一基板と、前記第一基板の他の２辺を塞ぐキャップ部材を設け、さらに第二基板にて箱状に構成し、内部に断熱材としてウレタンを注入していることを特徴とするものであり、安価なスチロールを使用することでコストを抑えることができると同時に、冷却器により冷やされたユニットベース下部鋼板は熱伝導しにくいスチロールに固定されることによりユニットベース上面、側面への伝熱を少なくし、結露を防ぐ。
【発明の効果】
【０００９】
本発明の冷蔵庫によれば、断熱性のユニットベース上面に圧縮機、凝縮器及びファンモータなどを配置し、ユニットベース下面に冷却器及びファンモータなどを配置した冷却ユニットを、断熱箱体の天井部に形成された開口を塞ぐかたちで設置してなる冷蔵庫において、前記断熱性のユニットベースは対向する２辺をコの字状に曲げた第一基板と、前記第一基板の他の２辺を塞ぐキャップ部材を設け、さらに第二基板にて箱状に構成し、内部に断熱材としてウレタンを注入することで、コストを抑えることができると同時に、冷却器により冷やされたユニットベース内面の第二基板は熱伝導しにくいスチロールに固定されることによりユニットベース上面、側面への伝熱を少なくし、結露を防ぐことができる。
【発明を実施するための最良の形態】
【００１０】
断熱性のユニットベース上面に圧縮機、凝縮器及びファンモータなどを配置し、ユニットベース下面に冷却器及びファンモータなどを配置した冷却ユニットを、断熱箱体の天井部に形成された開口を塞ぐかたちで設置してなる冷蔵庫において、前記断熱性のユニットベースは対向する２辺をコの字状に曲げた第一基板と、前記第一基板の他の２辺を塞ぐキャップ部材を設け、さらに第二基板にて箱状に構成し、内部に断熱材としてウレタンを注入していることを特徴とするものであり、安価なスチロールを使用することでコストを抑えることができると同時に、冷却器により冷やされたユニットベース下部鋼板は熱伝導しにくいスチロールに固定されることによりユニットベース上面、側面への伝熱を少なくし、結露を防ぐ。
【００１１】
本発明の請求項２に記載の発明は、前記キャップ部材に、ユニットベース下面を形成するための第二基板をビス固定するため、前記キャップ部材にコの字状に形成したナット部材を埋め込んでいることを特徴とするものであり、ユニットベース下部鋼板をビスでナットに固定することで確実な固定が簡単にできる。
【００１２】
本発明の請求項３に記載の発明は、前記ユニットベース内部の断熱材をキャップ部材を含めスチロール材で構成することで、断熱のための複雑な表面形状を容易に製作できることを特徴とするものであり、断熱箱体天井面への取付け面に断熱のためのリブなどの複雑な形状を設け、断熱箱体内部の冷気の熱伝導をコストをかけずに容易に小さくすることができる。
【００１３】
本発明の請求項４に記載の発明は、前記キャップ部材において、前記第一基板、第二基板と接する面に段差を付けることにより、第一基板、第二基板を取り付けた時にできるスチロール表面と第一基板、第二基板との板厚分の段差を無くすことを特徴とするものであり、断熱箱体天井面との取付け時に、段差による隙間を無くすことで冷気漏れを防ぐことができる。
【００１４】
以下、本発明の実施の形態について、図面を参照しながら説明する。なお、従来と同一構成については、同一符号を付して詳細な説明を省略する。また、この実施の形態によってこの発明が限定されるものではない。
【００１５】
（実施の形態１）
図１は、本発明の実施の形態１による冷蔵庫のユニットベースの斜視図である。
【００１６】
図１に示すように、鋼板を曲げて形成した第一基板1の両サイドにスチロールで形成したキャップ部材２を取付け、鋼板で形成した第二基板３を取り付けることで箱状に構成し、内部に断熱材としてウレタン４を注入し断熱性を持たせる。
【００１７】
以上のように本実施の形態の冷蔵庫は、ユニットベースの部品構成を鋼板を曲げて形成した第一基板１と、スチロールで形成したキャップ部材２と、鋼板で形成した第二基板３で構成し、内部にウレタン４を注入して一体化したことにより部品構成を簡素化でき、コストを抑えることができると同時に、冷却器により冷やされたユニットベースの第二基板３は熱伝導しにくいスチロールに固定されることによりユニットベース上面、側面への伝熱を少なくし、結露を防ぐことができる。
【００１８】
（実施の形態２）
図２は、本発明の実施の形態２による冷蔵庫のユニットベースの斜視図である。図２に示すように、前記キャップ部材２に、前記鋼板で形成した第二基板３を
ビス５で固定するため、キャップ部材２にコの字に曲げた鋼板で形成したナット
２ａを埋め込んでいる。
【００１９】
以上のように本実施の形態の図２において、キャップ２にコの字に曲げた鋼板で形成したナット２ａを埋め込むことで、第二基板３をビス５でナット２ａに固定することができ、第二基板３を確実に固定することができる。
【００２０】
（実施の形態３）
図３は、本発明の実施の形態３による冷蔵庫の断熱箱体天井面に取付けたユニットベースの断面図である。
【００２１】
図３に示すように、前記ユニットベース内部の断熱の材質を全てスチロールにすることで、断熱のための複雑な形状を容易に製作できる。
【００２２】
以上のように本実施の形態の図３において、ユニットベース内部のスチロール６で断熱のためのリブのような複雑な表面形状を容易に製作し、断熱箱体天井面の取付け部７に取付けることにより、断熱箱体内部の冷気の熱伝導をコストをかけずに容易に小さくすることができる。
【００２３】
（実施の形態４）
図４は、本発明の実施の形態４による冷蔵庫のユニットベースの斜視図である。
【００２４】
図４に示すように、前記キャップ部材２に、前記第一基板１、第二基板３と接する面に段差を付けることにより、スチロール表面と第一基板１、第二基板３との板厚分の段差を無くすことができる。
【００２５】
以上のように本実施の形態の図４において、スチロールで形成したキャップの段差８に第一基板１、第二基板３が取付くことにより、板厚による段差が無くなり、断熱箱体天井面に取り付ける際の隙間が無くなるので冷気漏れを防ぐことができる。
【産業上の利用可能性】
【００２６】
以上のように、本発明にかかる冷蔵庫は、安価な構成でユニットベースの結露を防止することができ、貯蔵庫本体天面に冷却システムのユニットベースを備えた冷却機器全般に有効に適用できる。
【図面の簡単な説明】
【００２７】
【図１】本発明の実施の形態１によるユニットベースの斜視図
【図２】本発明の実施の形態２によるスチロールで形成したキャップの斜視図
【図３】本発明の実施の形態３によるユニットベースの断面図
【図４】本発明の実施の形態４によるスチロールで形成したキャップの斜視図
【図５】従来のユニットベースの断面図
【符号の説明】
【００２８】
１    第一基板
２    キャップ
２ａ    ナット
３    第二基板
４    ウレタン
５    ビス
６    スチロール
７    取付け部
８    段差
９    外部鋼板
１０    取付け部材
１１    内部鋼板
【図１】
2005201522.tif 000003
【図２】
2005201522.tif 000004
【図３】
2005201522.tif 000005
【図４】
2005201522.tif 000006
【図５】
2005201522.tif 000007